(57)【要約】  板金製の環状上壁（２０）を有する管状体（１０）を備え、蓋（３０）を受承し保持する構成の台座部（２１）により取り囲まれた開口部（Ａ）が管状体（１０）に画成された容器用の複合蓋であって、蓋（３０）が閉じられた時に台座部（２１）に当接され保持される保持部（３２）を周囲に組み込む基部（３１）を備える。蓋（３０）の基部（３１）は、保持部（３２）と一体的にプラスチック材料で成形された周囲環状要素（３３）と、板金プレートの形状であり、周囲環状要素（３３）に取り付けられる外側周縁部（３４ａ）を有する中央要素（３４）とを備える。周囲環状要素（３３）は、中央要素（３４）に配設された中央パネル（３３ｄ）を内側で一体的に組み込み、中央要素（３４）は、射出中に蓋に組み込まれるかまたは後で蓋に取り付けられる。
2010536680.tif 000002
【特許請求の範囲】
【請求項１】
板金製の環状上壁（２０）を有する管状体（１０）を備え、蓋（３０）を受承し保持する構成の台座部（２１）により取り囲まれた開口部（Ａ）が管状体（１０）に画成された容器用の複合蓋で、蓋（３０）が閉じられた時に台座部（２１）に当接され保持される保持部（３２）を周囲に組み込む基部（３１）を備える蓋（３０）であって、基部（３１）が、保持部（３２）と一体的にプラスチック材料で成形された周囲環状要素（３３）と、板金プレートの形状であり、周囲環状要素（３３）に取り付けられる外側周縁部（３４ａ）を有する中央要素（３４）とを備えることを特徴とする、蓋。
【請求項２】
容器の環状上壁（２０）が、中央打ち抜き片（Ｒ）を作成する打ち抜き板金で形成され、基部（３１）の中央要素（３４）が前記中央打ち抜き片（Ｒ）で画成されることを特徴とする、請求項１に記載の蓋。
【請求項３】
中央要素（３４）の外側周縁部（３４ａ）が、周囲環状要素（３３）のプラスチック材料の内部に挿入され、内部で保持されることを特徴とする、請求項１または２に記載の蓋。
【請求項４】
周囲環状要素（３３）が、略円筒状または略円錐台状の構成で上方に突出し、中央要素（３４）の外側周縁部（３４ａ）を取り囲み保持するプラスチック材料の上縁部（３３ｂ）を有する内側周壁部（３３ａ）を一体的に上方に組み込むことを特徴とする、請求項３に記載の蓋。
【請求項５】
周囲環状要素（３３）の内側周囲壁部（３３ａ）の上縁部（３３ｂ）が、中央要素（３４）の外側周縁部（３４ａ）が内部に保持される内側環状フランジ（３３ｃ）を組み込むことを特徴とする、請求項４に記載の蓋。
【請求項６】
中央要素（３４）の板金プレートが、外側周縁部（３４ａ）に沿ってそこからわずかに離間して、複数の離間した貫通孔（３４ｂ）を備えて、中央要素（３４）が周囲環状要素（３３）に保持される時に、周囲環状要素（３３）のプラスチック材料で埋められることを特徴とする、請求項３から５のいずれか一項に記載の蓋。
【請求項７】
貫通孔（３４ｂ）が、中央要素（３４）の面から外側に向かって突出した中央要素（３４）の板金プレートの変形貫通孔（３４ｃ）内に形成されることを特徴とする、請求項６に記載の蓋。
【請求項８】
中央要素（３４）の外側周縁部（３４ａ）が、曲がったカール状であることを特徴とする、請求項３から５のいずれか一項に記載の蓋。
【請求項９】
周囲環状要素（３３）のプラスチック材料の内部で中央要素（３４）の外側周縁部（３４ａ）が密閉して保持されることを特徴とする、請求項３に記載の蓋。
【請求項１０】
周囲環状要素（３３）が、中央要素（３４）に配設された閉鎖中央パネル（３３ｄ）を内側で一体的に組み込むことを特徴とする、請求項３から９のいずれか一項に記載の蓋。
【請求項１１】
周囲環状要素（３３）が、閉鎖中央パネル（３３ｄ）を内側で一体的に組み込み、前記中央パネル（３３ｄ）の下に当接される中央要素（３４）を軸方向に保持するために、中央要素（３４）が周囲環状部（３３）に設けられた保持手段（３８）で嵌合され係止される外側周縁部（３４ａ）を有することを特徴とする、請求項１または２に記載の蓋。
【請求項１２】
周囲環状要素（３３）が、略円筒状または略円錐台状の構成で上方に突出し、中央パネル（３３ｄ）を内側で一体的に組み込む上縁部（３３ｂ）を有する内側周壁部（３３ａ）を一体的に上方に組み込み、保持手段（３８）が、周囲環状要素（３３）の内側周壁部（３３ａ）の内側に設けられることを特徴とする、請求項１１に記載の蓋。
【請求項１３】
保持手段（３８）が、内側周壁部（３３ａ）に一体的に組み込まれ、中央要素（３４）が中央パネル（３３ｄ）の下に取り付けられる時に中央要素（３４）の外側周縁部（３４ａ）が嵌合される少なくとも１つの半径方向突出部（３８ａ）により画成されることを特徴とする、請求項１２に記載の蓋。
【請求項１４】
保持手段（３８）が、内側周壁部（３３ａ）に一体的に組み込まれ、中央要素（３４）が中央パネル（３３ｄ）の下に取り付けられる時に中央要素（３４）の外側周縁部（３４ａ）が嵌合される少なくとも１つの半径方向ネジ（３８ｂ）により画成されることを特徴とする、請求項１２に記載の蓋。
【請求項１５】
周囲環状要素（３３）が、蓋（３０）を閉じる時に台座部（２１）に当接される外側クレードル（３５）を周囲に組み込む略円筒状壁（３２ａ）の形状をした保持部（３２）の下位領域の外側に一体的に組み込まれることを特徴とする、請求項３から１１のうちいずれか一項に記載の蓋。
【請求項１６】
蓋（３０）の保持部（３２）が、蓋（３０）が閉じられる時に、管状体（１０）の環状上壁（２０）の上に位置する半径方向外側に突出した環状壁部（３６）を一体的に上方に組み込むことを特徴とする、請求項１５に記載の蓋。
【請求項１７】
環状壁（３６）が、下方に突出する把持部（３７）を組み込まれた外縁部（３６ａ）を有し、前記把持部３７が台座部（２１）に蓋（３０）を当接させる時に、管状体（１０）の側壁（１１）に近接した状態になる構造であることを特徴とする、請求項１６に記載の蓋。
【請求項１８】
環状壁部（３６）が、スタックガイドとしてとして機能するために上方に突出する少なくとも１つの周囲リブ延長部（３６ｂ）を組み込むことを特徴とする、請求項１６に記載の蓋。
【発明の詳細な説明】
【技術分野】
【０００１】
本発明は、複合材料製の蓋に関し、より詳細には、板金およびプラスチック材料製の複合蓋で、一般に、円形または多角形断面で板金または他の材料製の缶により画成され、容器の内部への出し入れ口と、容器を閉めるために蓋が取り外し可能に嵌合されて保持される台座部とを画成する環状上壁部を有する管状体を備える容器に付けられる複合蓋に関する。
【背景技術】
【０００２】
先行技術で知られている缶または同様の容器の蓋がある。前記蓋は、打ち抜き板金または成形プラスチック材料の一体部品で構成され、蓋が閉じられた時に、容器の開口部を覆い、台座部に当接され保持される保持部を周囲に組み込む基部を有する。
【０００３】
打ち抜き板金で形成された蓋は、通常は、タンパーエビデント封止部がなく、タンパーエビデント封止部は保持部に組み込まれ、半径方向に外側に向かって突出して、容器本体の上縁部領域と協働する。これらの板金蓋は、何年も使用されると、基部や保持部に構造的変形が見られる。これらの金属蓋は、十分な機械的保持力を有し、酸素や水蒸気に対する十分な不浸透性や十分な遮光性を示すものであるが、所定の用途に合うように、蓋の外側もしくは内側で容器に付けられる別個の部品に画成されるタンパーエビデント封止要素を形成しなければならなくなる。
【０００４】
一方、本明細書で考察されるタイプのプラスチック材料で成形された蓋は、基部と保持部と封止部とを備える一体部品で形成されているので、十分な封止特性、不可侵性、強度を有する確実な密閉要素となり、容器内に収容された内容物を徐々に消費する使用者によって容易に開閉できるものである。
【０００５】
しかしながら、プラスチック成形の蓋は、特定の用途では、特に、長期の保存期間におけるガスや水蒸気の不浸透性や効果的な遮光性の形成に関して一部限界がある場合がある。
【０００６】
考察される別の態様は容器に関するもので、容器の環状上壁部は打ち抜き板金で形成され、周囲は二重巻き締めされる、または容器の管状体の末端縁部（上縁部）に密閉して取り付けられる。これらの条件では、環状上壁部の打ち抜きによってできる板金の中央打ち抜き片は、容器の形成過程で用途に必要な表面加工を施されて作成された板金の一部ではあるが、屑として捨てられる。金属製の蓋またはプラスチック製の蓋の場合、容器の環状上壁部の打ち抜きによってできる板金の中央打ち抜き片を廃棄する問題を解決できる方法はない。
【０００７】
プラスチックと板金とからなる、知られている複合蓋の構造は、伯国発明追加証明書第Ｃ１０４０１２３９−９号明細書で示され、請求されている。この先願は、周囲部が容器の管状体の上縁部に当接されるように合わされ、プラスチック材料製の保持リングに結合されて、閉じた状態での蓋の軸方向の保持力を保証する封止手段を備える板金の基部を備える蓋構造を提案するものである。
【０００８】
上述した先願の構造と、米国特許第５，８８１，９０７号明細書、米国特許第６，２２０，４６６号明細書、米国特許第７，１４７，１１８号明細書、米国特許第７，１７５，０３９号明細書で定義されている構造は、一体的に容器の管状体の開口上端部を閉じ、必ず管状体の上縁部に密閉して当接されるように合わせられた周囲部を有する板金の基部を備える複合蓋を使用するものである。基部の軸方向の保持力は、金属製の基部に当接される上部環状フランジまたは盲フランジと、容器の管状体の外側に設けられ、任意で蓋を最初に開いた時に取り外し可能な封止手段を組み込んだ保持手段に結合される周囲スカートとを有するプラスチック材料製の周囲環状要素によって保証される。
【０００９】
しかしながら、上述した複合蓋の場合の解決策は、蓋の台座部を形成するための環状上壁部が無く、蓋の軸方向の係止は、金属製の一体的構造で基部を当接させるために台座部に対してどんな封止機能も持たずに、容器の管状体の外側に設けられてプラスチック材料製の周囲環状要素に係合されるカール、リブまたはネジなどの手段によって行われる容器に適用できるものである。
【００１０】
これらの知られている複合蓋では、板金製の一体的構造の基部によって酸素や水蒸気の不浸透性や遮光性が得られる。基部は、中間の樹脂封止材料を使用してまたは使用せずに容器の管状体の上縁部によって画成される台座部と相互作用するように強制的に合わせられる。これらの解決法は、比較的複雑で面倒な構造であり、容器の環状上壁部に画成された台座部に嵌合され、保持される蓋には適用できない。
【発明の概要】
【発明が解決しようとする課題】
【００１１】
本明細書で考察されるタイプの容器に対応する時の先行技術の複合蓋の限界や欠点に応じて、プラスチック材料のみで形成された蓋に比べて酸素（および他の気体）に対する不浸透性や遮光性において改良の見られる板金およびプラスチック材料製の蓋を提供し、その単純な構造により、タンパーエビデント封止部を組み込んだまたは組み込まない、知られている複雑蓋よりも低コストにすることが本発明の目的である。
【００１２】
また、上述したような蓋で、打ち抜き片により形成された金属部を有する蓋を提供することも本発明の目的である。
【００１３】
さらに、上述したような蓋で、前記蓋で閉じられた容器を安全に積み重ねることができるような蓋を提供することも本発明の目的である。
【課題を解決するための手段】
【００１４】
上述の目的を達成するために、当該蓋は、蓋が閉じられた時に、容器の環状上壁部の台座部に当接され保持される保持部を周囲に組み込む基部を備える。
【００１５】
本発明によれば、蓋の基部は、プラスチック材料で成形され、保持部と一体成形の周囲環状要素と、板金プレートの形で、周囲環状要素に密閉して取り付けられる外側周縁部を有する中央要素とを備える。
【００１６】
打ち抜き板金製の環状上壁部を形成することを検討することで、本発明により蓋の基部の中央要素は、環状上壁部の打ち抜きにより形成された自身の中央打ち抜き片により画成され、通常は屑として扱われる要素により複合蓋の金属部品は形成されることになる。
【００１７】
本発明により形成される蓋は、実質的に、その蓋全体は、容器の開口部を閉じるように設計され、気体不浸透性の極めて製造コストが安い不透明の板金プレートにより画成され、プラスチック材料製の保持部を台座部と協働する封止要素として、また容器の管状体に対して蓋を軸方向に保持する要素として機能させるものである。
【００１８】
構造変形例では、周囲環状要素は、その内部にプラスチック材料製の中央要素上に構成される閉鎖中央パネルを一体的に組み込むことができる。この場合、保持部と周囲環状要素と中央パネルとにより画成されるプラスチック部品は密閉障壁となる。プラスチック部品は、プラスチック材料の蓋の射出成形の時、または成形後に前記プラスチック材料に嵌合される時に、周囲環状要素のプラスチック材料に組み込まれる周縁部を有する金属製の中央要素を組み込んだ中央パネル下の領域で下方にむかって補強される。
【００１９】
本発明は、添付の図面を参照して、本発明の一実施形態の例を挙げて以下で説明する。
【図面の簡単な説明】
【００２０】
【図１Ａ】当該蓋の構造の斜視図である。
【図１Ｂ】図１Ａと同様の図であるが、板金製の中央要素全体が保持部の周囲環状要素を構成するプラスチック材料で覆われた蓋の構造変形例を示す図である。
【図２Ａ】缶の管状体の環状上壁部に形成された台座部に嵌合された時の図１Ａの蓋の、線ＩＩ−ＩＩにおける直径方向部分断面図である。
【図２Ｂ】図２Ａと同様の蓋の直径方向部分断面図であるが、図１Ｂの構造変形例を示す直径方向部分断面図である。
【図３】複合蓋の基部の中央要素の上面斜視図である。
【図４】図３の線ＩＶ−ＩＶにおける、蓋の中央要素の直径方向部分断面図である。
【図５】図２Ａ、図２Ｂと同様の蓋の直径方向部分断面図であるが、周囲環状要素の成形後に、中央要素が周囲環状要素に組み込まれた半径方向の保持突出部を使用して周囲環状要素に取り付けられた別の構造変形例を示す直径方向部分断面図である。
【図６】図２Ａ、図２Ｂ、図５と同様の蓋の直径方向部分断面図であるが、周囲環状要素の成形後に、中央要素が周囲環状要素に組み込まれたネジを使用して周囲環状要素に取り付けられたさらに別の構造変形例を示す図である。
【図７】図５、図６の実施形態で示された中央要素の上面斜視図である。
【図８】分解した形で示されている蓋の基部の前記中央要素が打ち抜きにより中央に形成される環状上壁部を備える缶の上面斜視図の部分断面図である。
【発明を実施するための形態】
【００２１】
本発明の複合蓋は、板金製の管状体１０を備えるタイプの容器であり、通常は円筒状側壁部１１を有し、同様に板金製の環状上壁部２０を有し、蓋３０が当接され保持される台座部２１により取り囲まれた開口部Ａを有する容器に適用できる。
【００２２】
環状上壁部２０は、例えば、出願者が同じである伯国特許出願第ＰＩ０５０４５２８−２号（ＰＣＴ／ＢＲ２００５／０００２３２号）明細書に記載されているように、管状体１０の側壁部１１の変形部により形成される、または別個の板金で、それに合わせて打ち抜きされ、管状体１０の側壁部１１の上縁部に周囲に取り付けられることにより、つまり図２Ａ、図８で示されるように上部二重巻き締め部Ｒｓによって取り付けられるなどの異なる方法で構成されてもよい。
【００２３】
環状上壁部２０に適用される構造に関係なく（一体部品か管状体１０の側壁部１１に二重巻き締めされた部品であるかに関係なく）、環状上壁部の内側周縁部および開口部Ａの周囲に、台座部２１を画成するように構成される。台座部２１は、図示された構造では、円形または略円形の管状断面リブの形状で、管状上壁部２０の内側周縁部を管形状になるまで下方に、上方に、そして外側に曲げることにより得られる。しかしながら、台座部２１は、本明細書内で提案された複合蓋のタイプに結合できる構造で、台座部２１における蓋の軸方向の保持力だけではなく、容器の気密性も保証できるようなさまざまな構造としてもよいことは理解されたい。例えば、台座部２１は、対向する蓋の円周部分の密着および保持を保証するのに十分延長した円弧で形成される断面を有してもよい。
【００２４】
図８に示されるように、環状上壁部２０が打ち抜き板金で形成され、管状体１０の側壁部１１に対して二重巻き締めされる場合、上壁部の環状形状は、通常は屑として廃棄される扁平円盤の形状の中央打ち抜き片Ｒを打ち抜くことによって得られる。
【００２５】
本発明によれば、蓋３０は、台座部２１に当接され保持されるプラスチック材料で成形された保持部３２を周囲に組み込む基部３１を備える。
【００２６】
蓋３０の基部３１は、保持部３２と一体部品のプラスチック材料で成形された周囲環状要素３３と、板金プレートの形状で周囲環状要素３３に密閉してまたは密閉せずに取り付けられる外側周縁部３４ａを有する中央要素３４とを備える。より詳細には、図１Ａ、図１Ｂ、図２Ａ、図２Ｂに示された実施形態では、中央要素３４の外側周縁部３４ａは、周囲環状要素３３を構成するプラスチック材料の内部に挿入され、保持される。図１Ａ、図２Ａの実施形態では、中央要素３４の外側周縁部３４ａは、前記中央要素３４が蓋の閉鎖要素の一部として、すなわち封止要素として機能するため、周囲環状要素３３を構成するプラスチック材料の内部に密閉して保持される。図１Ｂ、図２Ｂの実施形態では、周囲環状要素３３は、中央要素３４上に構成された閉鎖中央パネル３３ｄを内部に一体的に組み込む。この場合、より適切であるにも関わらず、周囲環状要素３３のプラスチック材料の中で中央要素３４の外側周縁部３４ａを保持するのに必ずしも密閉する必要はない。
【００２７】
環状上壁部２０が上部二重巻き締め部Ｒｓによって容器に取り付けられる時、図８に示されるように、蓋の基部３１の中央要素３４は、環状上壁部２０の打ち抜きによって形成された自身の中央打ち抜き片Ｒで画成される。知られているように、中央打ち抜き片Ｒは、環状上壁部２０が管状体１０の側壁部１１に二重巻き締めされる前に、環状上壁部２０を打ち抜く時に形成される。
【００２８】
図示された構造では、基部３１のプラスチック材料製の周囲環状要素３３は、図１Ａ、図１Ｂ、図２Ａ、図２Ｂに示された実施形態では、略円筒状または略円錐台状の構成で、板金製の中央要素３４の外側周縁部３４ａを取り囲み保持するプラスチック材料製の上縁部３３ｂを有する上方に突出する内側周壁部３３ａを一体的に上方に組み込む。また、周囲環状要素３３は、図示された構造では、基部３１の周囲環状要素３３の内側周壁部３３ａから半径方向に離間され、台座部２１に当接される外側クレードル３５を周方向に組み込んだ略円筒状壁部３２ａの形状を成す保持部３２の下位領域に一体的に外側に組み込まれて、閉鎖状態において蓋３０を軸方向に保持する。周囲環状要素３３は、その構成的プラスチック材料の内部で中央要素３４の外側周縁部３４ａを受承し保持するのに、内側周壁部３３ａが取り除かれてもよいことは理解されたい。この場合、周囲環状要素３３および中央要素３４はほぼ同一平面上に構成される。しかしながら、この面一の構造では、十分な構造的強度、容器の容積の増大、自動閉鎖機構のマガジンにおける蓋のより安全な積み重ねに関して利点が得られない。
【００２９】
さらに、図示された構造では、蓋３０が閉じられた時、蓋３０の保持部３２、より詳細には、略円筒状壁部３２ａは、管状体１０の環状上壁部２０全体にわたって位置決めされる半径方向外側に突出する環状壁部３６を一体的に上方に組み込む。
【００３０】
環状壁部３６は、上部二重巻き締め部Ｒｓ、または上部二重巻き締め部が設けられていない場合は管状体１０の側壁部１１の上縁部まで伸びる外縁部３６ａを有する。前記外縁部３６ａは、台座部２１に蓋３０を当接させる際に、管状体１０の側壁部１１に密着した状態を保つように、下方に突出する把持部３７を組み込む。
【００３１】
垂直方向に積み重ねられた２つの容器１０の間の横方向の変位を避けるために、スタック内の前の容器の上に当接される他方の容器１０の二重巻き締め部の下端部から内側または外側に向かって緩く伸縮自在に嵌合されるように、環状壁部３６は少なくとも１つの周囲リブ延長部３６ｂ、すなわち前記環状壁部３６の外縁部３６ａに対して半径方向後方に離間して、または離間せずに環状壁部３６から上方に突出して連続的に形成され、またはセグメントとして画成されて、図５、図６で示されるように、スタックガイドとして機能するリブ延長部を組み込むことができる。
【００３２】
確実に板金製の中央要素３４をプラスチック材料製の周囲環状要素３３に固定して密閉して取り付けるために、図１Ａ、図１Ｂ、図２Ａ、図２Ｂの実施形態では、中央要素３４の板金プレートは、その外側周縁部３４ａに沿ってわずかに離間して、複数の離間した貫通孔３４ｂを備える。この貫通孔３４ｂは、板金プレートの平面から外側に突出した変形貫通孔３４ｃ内に形成され、前記貫通孔３４ｂは、中央要素３４を周囲環状要素３３に組み込む時に周囲環状要素３３のプラスチック材料で埋められる。この組み込みは、例えば、周囲環状要素３３および保持部３２をプラスチック材料の一体部品として、予め中央要素３４が内部に位置決めされた型で射出成形することによって行われてもよい。
【００３３】
また、中央要素３４の外側周縁部３４ａは、例えば、板金とプラスチック材料との機械的保持力をさらに増すために、下方に曲げられたカール状にしてもよい。中央要素３４を取り扱いやすくするために、また中央要素３４を構造的に強化するために、下方に突出する球状キャップの形状の中央凹部３４ｄを設けてもよい。
【００３４】
図示された構造では、周囲環状要素３３の内側周壁部３３ａの上縁部３３ｂは、内側環状フランジ３３ｃを組み込み、内側環状フランジ３３ｃの内部では中央要素３４の外側周縁部３４ａが保持される。しかしながら、中央要素３４の板金を保持部と周囲環状要素３３とにより画成される一体部品のプラスチック材料に固定して、必要に応じて密閉して取り付けるのに、さまざまな構造的構成も可能である。
【００３５】
蓋３０の構造的変形例が図１Ｂ、図２Ｂに示されている。この構造では、周囲環状要素３３は、詰められる内容物の識別に関するメッセージを印刷しやすくするために、内側周壁部３３ａの上縁部３３ｂまたは半径方向内側の部分が一体的に中央要素３４の延長部全体に延びて、中央要素３４の上の中央パネル３３ｄを形成するように構成される。この実施形態では、金属製の中央要素３４と周囲環状要素３３との固着部分の気密度は、図１Ａ、図２Ａの実施形態で必要とされるほど高くなくてもよい。
【００３６】
図５、図６、図７で図示された構造的変形例では、この構造では、中央要素３４が周囲環状要素３３に設けられた保持手段３８に嵌合され係止される外側周縁部３４ａを有することを考慮して、周囲環状要素３３は、同様にプラスチック製の閉鎖中央パネル３３ｄを内側に一体的に組み込んで、この実施形態では、内側周壁部３３ａの内側に画成される全域に沿ってほぼ一定の厚さを呈する前記中央パネル３３ｄの下に当接する中央要素３４を軸方向に保持するようにする。
【００３７】
特別な方法では、周囲環状要素３３が上縁部３３ｂを有する内側周壁部３３ａを一体的に上方に組み込む場合、先の実施形態で上述したように、前記上縁部３３ｂは中央パネル３３ｄを内側に一体的に組み込んで、保持手段３８は周囲環状要素３３の内側周壁部３３ａの内側に設けられる。
【００３８】
保持手段３８は、図５で示されるように、内側周壁部３３ａに一体的に組み込まれた複数の半径方向突出部３８ａにより、または１つの周囲半径方向突出部３８ａにより画成され、中央要素３４が中央パネル３３ｄの下に取り付けられる時に、保持手段に中央要素３４の外側周縁部３４ａが嵌合される。
【００３９】
また、保持手段３８は、図６で示されるように、内側周壁部３３ａに一体的に組み込まれた少なくとも１つのネジ３８ｂにより画成され、中央要素３４が蓋に軸方向に保持され、中央パネル３３ｄに当接できるように、中央要素３４の外側周縁部３４ａが保持部３８に嵌合される。
【００４０】
図５、図６の実施形態では、内側周壁部３３ａの上縁部３３ｂは、図１Ａ、図１Ｂ、図２Ａ、図２Ｂで示される実施形態の内側環状フランジ３３ｃを設けないで、中央パネル３３ｄを直接組み込む。図５、図６の構造では、角度離間した単一部品のまたは複数の半径方向突出要素である周囲半径方向突出部３８ａは、わずかに中央パネル３３ｄから離間して中央パネル３３ｄとの隙間を画成し、その隙間に中央要素３４の外側周縁部３４ａの対応する周方向延長部がしっかりと嵌合されて、中央要素３４が蓋３０の中央パネル３３ｄの下に安全に容易に取り付けられ当接されるようになり、中央要素３４のプラスチック材料が射出された後の成形手段を簡素化できる。
【００４１】
本明細書で本発明のいくつかの実施形態のみ説明してきたが、本明細書添付の請求項内で定義された構造的概念から逸脱せずに、蓋のさまざまな部品の形や物理的構成の変更も可能であることは理解されたい。
【図１Ａ】
2010536680.tif 000003
【図１Ｂ】
2010536680.tif 000004
【図２Ａ】
2010536680.tif 000005
【図２Ｂ】
2010536680.tif 000006
【図３】
2010536680.tif 000007
【図４】
2010536680.tif 000008
【図５】
2010536680.tif 000009
【図６】
2010536680.tif 000010
【図７】
2010536680.tif 000011
【図８】
2010536680.tif 000012
【国際調査報告】
2010536680.tif 000013
2010536680.tif 000014
2010536680.tif 000015
2010536680.tif 000016
2010536680.tif 000017